(57)【特許請求の範囲】
【請求項１】
地山に固定されたアンカーを用いて、網体を斜面の表面に展延設置して斜面の表面からの落下物の発生を防止する覆網式斜面保護工法において、
頭部が荷重の付加に応じて曲がり変形可能なアンカーを前記斜面の所定高さ位置に所定間隔を空けて固定し、該アンカー間に上側横ロープを張架する上側横ロープ設置工程と、
前記上側横ロープに所定幅の網体の上辺部を固定し、該網体を斜面表面に沿って谷側に展延する網体展延工程と、
前記網体の設置領域にて、前記上側横ロープから所定間隔を空けた谷側位置での略水平方向に伸長する下側横ロープの張架、及び互いに所定間隔を置いて斜面上下方向に伸長する２本の縦ロープの張架を前記曲がり変形可能なアンカーを用いて行う三方ロープ設置工程と、
前記下側横ロープ及び前記２本の縦ロープに網体の近接する部分を結合する網体・ロープ結合工程と、
前記上側横ロープ、下側横ロープ、及び２本の縦ロープによって四方を囲まれた網体領域内の所定箇所で網体を地山側に押圧するように地山に中間部アンカーを固定設置することで前記網体を緊張させる網体緊張工程と、
を含むことを特徴とする覆網式斜面保護工法。
【請求項２】
前記上側横ロープ、下側横ロープ、及び２本の縦ロープの張架された前記アンカーは、複数の鋼線を合わせ又は撚って形成したワイヤロープアンカーとして構成されたことを特徴とする請求項１に記載の覆網式斜面保護工法。
【請求項３】
前記網体展延工程は、
前記上側横ロープに対して所定幅の複数の網体を間隔を空けずに並設して取り付け、隣接する部分で相互に結合することで斜面横方向の所望の網体幅を確保するようにしたことを特徴とする請求項１又は２の何れか１項に記載の覆網式斜面保護工法。
【請求項４】
前記中間部アンカーには、支圧板が設けられ、該支圧板にて前記網体の所定部分を地山に押圧するようにしたことを特徴とする請求項１から３の何れか１項に記載の覆網式斜面保護工法。
【請求項５】
前記網体は、
高強度鋼線にて形成された金網式のネットであることを特徴とする請求項１から４の何れか１項に記載の覆網式斜面保護工法。
【請求項６】
前記網体は、
複数のリングを連結して形成されたリング式ネットであることを特徴とする請求項１から４の何れか１項に記載の覆網式斜面保護工法。
【発明の詳細な説明】
【技術分野】
【０００１】
本発明は覆網式落石防止方法、特に、斜面の表面に網体を展延設置し、斜面からの落石等の落下物の発生を防止する覆網式斜面保護工法に関する。
【背景技術】
【０００２】
斜面における落石や土砂崩壊による災害は後を絶たず、毎年多くの被害が発生している。特に、近年の交通網の整備・拡充にともなって山岳地帯や海岸線部の急峻な地形にも道路や鉄道が施設されていることから、これらの斜面の存在する地域における災害の発生防止は重要な事業課題となっている。
【０００３】
この様な斜面における災害防止策としては、落石などの発生源から落ちてきた落石等を受け止めて対象物を守る落石防護柵等の設置や、一部崩壊により落石等が発生しそうな山などの斜面を保護し、その発生を抑制する発生源対策工法などが知られている。覆網式斜面保護工法は、この様な発生源対策工法の一種であり、網体が斜面の表面に展延され、これをアンカーなどで地山に固定するものである。落石防護柵の設置のように斜面の上方領域から落下してきた岩などを受け止めるのではなく、主として、斜面表面の落下物の発生源を直接カバーすることで落下物の発生を抑制することを主たる機能とするものである。
【０００４】
この様な覆網式斜面保護工法としては、特許文献１及び特許文献２や特許文献３などの技術が開示されている。特許文献１及び２は本件出願人に係る出願であり、特許文献１は、引張強度の高いワイヤーで製作した金網を保護すべき斜面に展設し、この金網の所定箇所に受圧板を点在状態となるように設置している。すなわち、受圧板をアンカーで地山に固定することで、金網に地山に向けての張力が働くようにしている。
【０００５】
また、特許文献２は、斜面に網体を展延設置し、この網体の上面側から支圧板を点在するように設置し、該支圧板を地山に向けて押し下げ、地山に定着して網体を地山に固定するものであり、支圧板の定着面がその周辺の地山面に対して定位置になるように構成している。これにより、支圧板を定着するための押下過程で、網体部分を伸長且つ緊張させ、支圧板の定着完了時に網体に所要の緊張力をもたらすようにしている。
【０００６】
更に、特許文献３に係る技術は、縦横ロープとこれを覆う金網とから防護網全体が構成されるもので（同文献段落「０００７」参照乞う）、覆網式斜面保護工法の変形に係るプレテンション式落石防止工法である。この技術によれば、主に縦・横ロープが交差して出来たネット状物を用いて落石の発生源である地山の表面を覆っている。そして、これら縦横ロープ、をアンカー等で地盤に固定すると共に、主として横ロープにテンションを付与することで落石により生じる衝撃エネルギーの吸収を行うものである。
【０００７】
【特許文献１】特開２００１−１１８６３号公報
【特許文献２】特開２００５−３５０８９４号公報
【特許文献３】特開２００２−２２７１４０号公報
【発明の開示】
【発明が解決しようとする課題】
【０００８】
上記特許文献１や２は、支圧板の設置によって、網体に緊張力を与え、展延設置された網体を地山面に押圧するための技術を開示している。しかしながら、網体を設置する全体の工程についての開示はなく、網体の展延作業から網体のしっかりと安定した全体の固定状態を確保する工程技術については開示されていない。
【０００９】
また、特許文献２の技術は、支圧板の設置面位置を他の地山面よりも低位置に設定しているが、その様な設置箇所を低位置とする作業必要があり、網体の展延設置後、更に支圧板設置までの過程における作業中の落石発生の防止などの検討、対策が別途必要となる。
【００１０】
また、特許文献３に係る技術は、縦横ロープ及びその上面から設置される金網によって地山の表面を覆っているが、地山下方方向に押さえ込む作用の確保はなされていない。すなわち、同文献の図６、図７、図８などからも横ロープに付与されるテンションが重要な機能を奏し、それは必ずしも地山面を押圧するためのものではないことが理解される。したがって、斜面が崩壊して発生した落石が動き出し、落ちて始めた後でネットにより捕捉されるので、ネットにかかってくる荷重は、落石防止柵程大きくはないが、落石の重さの他、落石の運動による衝撃力も加わる。それ故、より堅牢性のある強い縦横ロープを使わなければならないという事情も生じる。
【００１１】
また、オーバーハングなどの凹凸の大きな地山では、地山表面に網体を密着させることが困難で、落石の衝撃力がより大きくなる場合がある。更に、縦横ロープにて網体の主たる部分を構成した場合、岩の移動や落石が当たった部分の縦・横ロープに力が集中し易く、ネット局部での損傷の発生を考慮しなければならない。
【００１２】
本発明は、上記課題に鑑みてなされてものであり、その目的は、斜面の表面を網体により的確に下方に押圧することができ、網体の設置過程における落石による被害の発生も未然に防止することのできる覆網式斜面保護工法を提供することにある。
【課題を解決するための手段】
【００１３】
上記目的を達成するため、請求項１に係る覆網式斜面保護工法は、
地山に固定されたアンカーを用いて、網体を斜面の表面に展延設置して斜面の表面からの落下物の発生を防止する覆網式斜面保護工法において、
頭部が荷重の付加に応じて曲がり変形可能なアンカーを前記斜面の所定高さ位置に所定間隔を空けて固定し、該アンカー間に上側横ロープを張架する上側横ロープ設置工程と、前記上側横ロープに所定幅の網体の上辺部を固定し、該網体を斜面表面に沿って谷側に展延する網体展延工程と、前記網体の設置領域にて、前記上側横ロープから所定間隔を空けた谷側位置での略水平方向に伸長する下側横ロープの張架、及び互いに所定間隔を置いて斜面上下方向に伸長する２本の縦ロープの張架を前記曲がり変形可能なアンカーを用いて行う三方ロープ設置工程と、前記下側横ロープ及び前記２本の縦ロープに網体の近接する部分を結合する網体・ロープ結合工程と、前記上側横ロープ、下側横ロープ、及び２本の縦ロープによって四方を囲まれた網体領域内の所定箇所で網体を地山側に押圧するように地山に中間部アンカーを固定設置することで前記網体を緊張させる網体緊張工程と、を含むことを特徴とする。
【００１４】
上記構成によれば、まず、曲がり変形可能なアンカーを用いて上側横ロープが設置され、これに固定された網体を谷側に展延する工程と、順次他の三方に伸長するロープがアンカーによって張架される。なお、この網体展延工程は、ロープの設置位置の設定の容易化のためには、三方ロープ設置工程よりも先に行うことが好適であるが、必ずしもこれに限られず、三方ロープ設置工程を網体展延領域を囲む位置に対して行った後、網体展延工程を行っても良い。
【００１５】
これにより、落石等の発生源となりそうな領域に対して網体の展延とその所定範囲を囲む四方に伸長するロープの設置がなされる。また、アンカーは頭部が荷重に応じて所定範囲で曲がり変形することから、ロープの張架は斜面形状に応じて的確行われ、更に、ロープの張架時におけるロープ切断の発生を効果的に防止することができる。また、四方に伸長するロープの設置がなされた後は、仮にその領域における作業中に落石の発生が有ったとしてもその領域内で落石を止め置くことができる。すなわち、落石の大きな動きが始まる前の状況で制止することができるので確実な落石の制止が可能となり、作業中における落石事故の発生を効果的に抑制することができる。
【００１６】
そして、四方のロープで囲まれた網体領域内の所定箇所に中間部アンカーが設置され、網体は地山表面を主導的に押さえるようになる。更にその際、網体の取り付けられたロープのアンカーの頭部の曲がり動作によって網体の切断が抑制され、より的確な地山に対する網体による押さえ作用が得られる。
【００１７】
請求項２に係る覆網式斜面保護工法は、
前記上側横ロープ、下側横ロープ、及び２本の縦ロープの張架された前記アンカーが、複数の鋼線を合わせ又は撚って形成したワイヤロープアンカーとして構成されたことを特徴とする。この構成により、荷重に応じて所定範囲で頭部の曲がり変形するアンカーを簡単に構成することができる。すなわち、例えば、ワイヤロープアンカーは、その強度を低下させることなく、削孔軸に対して所定の角度範囲で頭部への張力の作用方向への曲がり変形が可能であり、本発明におけるアンカーとして有効に機能することができる。
【００１８】
請求項３に係る覆網式斜面保護工法は、
前記網体展延工程が、前記上側横ロープに対して所定幅の複数の網体を間隔を空けずに並設して取り付け、隣接する部分で相互に結合することで斜面横方向の所望の網体幅を確保するようにしたことを特徴とする。これにより、保護対象の斜面の状況に応じて、すなわち、落石等の発生源の領域に応じて、網体幅を容易に調整することができる。この網体の設置領域に応じて、その後の三方向ロープ設置工程により四方で囲まれる領域も調整可能であり、斜面の現場状況に応じた施行が可能となっている。
【００１９】
請求項４に係る覆網式斜面保護工法は、
前記中間部アンカーには、支圧板が固定され、該支圧板にて前記網体の所定部分を地山に押圧するようにしたことを特徴とする。この支圧板の存在により、ロープで囲まれた領域内における地山面の凹凸に網体を的確に対応させることが可能となる。また、中間部アンカーによる支圧板の固定作業の際にも上記頭部の変形可能なアンカーは曲がり変形して網体の切断が的確に防止され、より確実な地山面への押圧力を確保することができる。
【００２０】
請求項５に係る覆網式斜面保護工法は、
前記網体が、高強度鋼線にて形成された金網式のネットであることを特徴とする。本発明の構成に金網式のネットを用いることにより、優れた応力の四方への分散性を活用することができる。すなわち、金網式のネットの場合、縦・横の変形である縦の伸び・縮みと横の縮み・伸びに優れた構造を有しており、これを地山の落石発生源の状況に応じて的確に設置することで、落石の未然防止と発生した場合の短い落下距離で制止を達成することができる。
【００２１】
請求項６に係る覆網式斜面保護工法は、
前記網体が、複数のリングを連結して形成されたリング式ネットであることを特徴とする。本発明の構成にいわゆるリング式ネットを用いることにより、優れた応力の四方への分散性に加え、優れた変形性を活用することができる。すなわち、リング式ネットの場合、応力の四方への分散性にも優れるが、大きな荷重に対する大きな変形が可能であり、大重量の落石にも対応することが可能である。したがって、これを斜面の落石発生源の状況に応じて的確に設置することで、落石の未然防止と発生した場合の確実な制止を達成することができる。
【発明の効果】
【００２２】
以上説明したように、本発明に係る覆網式斜面保護工法によれば、落石等の発生源となりそうな領域に対しての網体の設置固定作業中におけるロープのロープ切断や網体の切断の発生を効果的に防止することができる。最終的に網体を斜面に追従させて押圧力を得る過程において発生した落石の制止が的確に行われ、作業中における落石事故の発生を効果的に抑制することができる。更に、四方のロープで囲まれた網体領域内における地山表面の形状に応じた押圧力の確保がより的確なものとなっており、覆網式斜面保護工法の信頼性が向上されるものである。
【発明を実施するための最良の形態】
【００２３】
以下、本発明の実施形態に係る覆網式斜面保護工法を図面に基づいて詳細に説明する。図１は、最初の工程として、落石の発生のおそれのある部分である落石発生源Ｘ−１やＸ−２の存在する斜面２００へ、必要なアンカー１０の固定設置が行う（アンカー設置工程）が行われた状態が示されている。図示のように、落石発生源Ｘ−１やＸ−２を囲むように後述の４本のロープを張るためのアンカー１０の設置が行われているが、まず、後述の上側横ロープを張架するためのアンカー１０−１，１０−２のみを固定し、その他のアンカーは、必要となる各工程で順次設置するようにしても良い。
【００２４】
なお、本実施形態におけるアンカー１０の設置位置は、アンカー１０−１〜アンカー１０−８の８本が落石発生源Ｘ−１やＸ−２を中心として四方に位置する様に設置されている。
【００２５】
アンカー１０の固定設置は、斜面２００、すなわち地山にアンカー１０を所定深さまで打ち込むことによって行われる。本発明において特徴的なことは、このアンカー１０が固定された状態で、その頭部が荷重の付加に応じて所定範囲で曲がり変形可能な構成を有するようにしたことである。
【００２６】
図２及び図３は、この様なアンカーの一例を示している。図２（Ａ）及び（Ｂ）に示したアンカー１０は、ワイヤーロープアンカーであり、所定の引張強度を有する複数のワイヤを撚り合わせて、約２０〜３０ｍｍの外径に形成している。したがって、アンカーとして必要な剛性は有するが、打ち込まれた状態で、頭部は所定の荷重を越えて引っ張られた時にヘッドの部分はその引っ張り方向に曲がり変形することができる。例えば、２ｍ〜５ｍの深さに打ち込まれた部分の軸に対して所定角度範囲で変形可能である。なお、図２（Ａ）は、曲がり変形する前の状態であり、同図（Ｂ）は引っ張られた方向に曲がり変形している状態が示されている。
【００２７】
図３は、上述のワイヤロープアンカーではなく、鋼棒であるロックボルトを用いたアンカー１２であり、同様に、所定の荷重以上の力によって頭部が曲がり変形可能な構成を有している。図２と同様に図（Ａ）が曲がり変形する前の状態、同図（Ｂ）が引っ張られた方向に曲がり変形した状態が示されている。
【００２８】
図４は、次の２つの工程が行われた状態を示しており、すなわち、斜面２００のほぼ共通の高さ位置に固定された上部側の左右のアンカー１０−１，１０−２間に上側横ロープ１４を張架されている（上側横ロープ設置工程）。この上側横ロープ１４の懸架作業は、通常の作業で行われ落石の発生を回避しつつ行われる。
【００２９】
そして、この上側横ロープ１４に網体１００が固定されて、谷側に展延されている。すなわち、上側横ロープ１４に所定幅の網体１００の上辺部を固定し、網体１００を斜面表面に沿って谷側に広がるように延ばしている（網体展延工程）。
【００３０】
本実施の形態では、２つの網体１００−１と１００−２を間隔を空けず並設しており、それらの上端辺が上側横ロープ１４にしっかりと固定されている。また、２つ網体１００−１と１００−２は、互いに接する辺の部分で相互にしっかり網部分が欠落しないように結合されている。この様に複数の網体１００を結合することで、斜面２００の横方向の所望の網体幅を確保するようにしたものである。したがって、保護すべき斜面２００の落石発生源の領域の大小に応じて、網体幅を調整することとしている。本実施の形態では、例えば、横幅２０〜５０ｍ、縦幅１０〜３０ｍの規模を想定している。
【００３１】
図５は、展延された網体１００に対して、上側横ロープ１４から所定間隔、すなわち、落石発生源Ｘ−１やＸ−２を十分に囲み得る間隔を空けて、谷側位置に、横方向（略水平方向）に伸長する下側横ロープ１８が張架される。図示のように、アンカー１０−３，１０−４によって張架される。更に、落石発生源Ｘ−１やＸ−２を十分に囲み得るように互いに横方向に所定間隔を置いて斜面２００の上下方向に２本の縦ロープ２０、２２を張架する。図示のように、それぞれアンカー１０−５，１０−６及び１０−７、１０−８を用いて張架されている（三方ロープ設置工程）。
【００３２】
この状態で、落石発生源Ｘ−１やＸ−２は、上側横ロープ１４、下側横ロープ１８、縦ロープ２０、２２の各ロープで四方から囲まれた状態となっており、上記４本のロープ１４，１８，２０，２２によって四角形の中間領域Ｙが形成されている。ここで、網体１００のそれぞれの対応する辺を上記各ロープ１４、１８、２０、２２に隙間の生じないようにしっかりと結合する作業を行う（網体・ロープ結合工程）。
【００３３】
更に、中間領域Ｙの上側横ロープ１４、下側横ロープ１８、縦ロープ２０、２２に近接する位置には、補助アンカー１１が各ロープに沿って複数本設置されている。この補助アンカー１１は、後述する中間部アンカーの設置により網体１００を緊張させる際に、各ロープ１４，１８，２０，２２が内側に引っ張られ、その引っ張り方向に曲がることを可及的に防ぐためのアンカーである。すなわち、各ロープが内側に引っ張られたときに補助アンカー１１の存在によりその位置で内側への移動が規制されるものである。なお、補助アンカー１１には、ロープを上方から押さえるためのプレート体を設け（図示せず）、規制対象のロープが補助アンカー１１の頭部を超えて引っ張られて移動することを防止することも可能である。
【００３４】
これによって、網体１００の落石発生源Ｘ−１やＸ−２に対する基本的な覆網設置がなされたことになる。そして、ここまでの作業においては、作業者は、落石発生源Ｘ−１やＸ−２の領域に入って行く必要がなく、その落石発生源Ｘ−１やＸ−２に衝撃や振動を与えることによる落石や崩落を誘発させることを回避することができる。
【００３５】
図６は、上述の四方に張架されたロープによって囲まれた網体１００の中間領域Ｙ内の所定箇所に網体１００を固定した状態で中間部アンカー３０が設置された（網体緊張工程）状態を示している。本実施の形態では７個の中間部アンカー３０が設置されており、この中間部アンカー３０の設置ポイントが地山面側に押し下げられ、網体１００は地山表面を主導的に押さえるようになる。すなわち、中間領域Ｙ内の地山面１００の凹凸に追従した網体１００の押さえ機能が得られる。更にこの中間部アンカー３０の設置の際、網体１００の取り付けられた各ロープ１４、１８、２０、２２を固定したアンカー１０の頭部が、付加される荷重に応じて曲がり動作し、網体１００の切断が抑制される。
【００３６】
これにより的確な地山に対する網体１００の押さえ作用が得られる。また、各中間部アンカー３０には、それぞれ、支圧板３２が設けられ、この支圧板３２によって網体１００を押圧することから、より安定した中間部アンカー３０による網体１００の押し下げ動作が安定したものとなっている。なお、このとき、補助アンカー１１の存在により、各ロープ１４、１８、２０、２２が内側へ引っ張られて移動することが的確に防止されている。
【００３７】
また、上述したように、四方のロープの設置が終わり、各ロープへの網体１００の結合作業が終了した状態では、仮にその四方のロープで囲まれた中間領域Ｙに、落石の発生が生起したとしてもその領域内で落石を止め置くことができる。したがって、中間部アンカー３０の設置作業の際の作業者の保護も図られる。
【００３８】
なお、中間部アンカー３０については、ロックボルトを用いて構成するのが好適であり、例えば、ロックボルトの頭部に支圧板３２を取り付け、網体の交点を押圧するように地山に固定されるものである。もちろん、地山の状況に応じては、この中間部アンカー３０についても、頭部が荷重の付加に応じて所定範囲で曲がり変形可能なアンカーとして構成することも可能である。これにより、中間部アンカー３０を地山に順次固定していく過程において、網体１００の押し下げ動作に柔軟性が生じ作業中における網体１００の切断が的確に防止される。
【００３９】
次に、上記実施の形態における網体１００について説明する。本発明の構成において、網体１００の構造は特に限定されるものではないが、例えば、外径３ｍｍ〜４ｍｍの高張力硬鋼線を複数本撚って網体１００用の線材とし、これを用いて形成した金網式のネット、例えば菱形金網で構成された場合、優れた応力の四方への分散性を活用することができる。すなわち、菱形金網の場合、縦・横の変形である縦の伸び・縮みと横の縮み・伸びに優れており、これを地山の落石発生源の状況に応じて的確に設置することで、落石の未然防止、更には、発生した場合の短い落下距離での制止を達成することができる。
【００４０】
また、網体１００は、複数のリングを連結して形成されたいわゆるリング式ネットにて構成することも可能である。個々のリングは、例えば、３ｍｍの外径の高張力硬鋼線を素線とし、これを複数巻いて２００ｍｍ〜６００ｍｍ径のリングとして形成される。このリング式ネットを用いた場合、優れた応力の四方への分散性に加え、優れた変形性を活用することができる。すなわち、リング式ネットは、応力の四方への分散性にも優れるが、大きな荷重に対する大きな変形が可能であり、仮に、大重量の落石が生じたとしても的確にこの落下阻止を達成することができる。
【００４１】
次に、図７に基づいて、本実施の形態に係る覆網式斜面保護工法が施工されたときの斜面保護機能について説明する。本図では、例えば、斜面２００の或る部分に落石の懸念される領域である破線にて示された落石発生源Ｘ３が存在する状況で、網体１００がこれを覆うように設置されている。設置作業工程については、上述の通りであり、アンカー１０の頭部は荷重に応じて上記図２（Ｂ）に示したように曲がった状態となり、網体１００は、上側横ロープ１４、下側横ロープ１８、縦ロープ２０、２２しっかりと張架されている。これにより落石発生源Ｘ３は四方からしっかり押さえ込まれている。
【００４２】
このように、作業中における落石発生時の岩石の制止や作業中における作業者の保護が図られつつ網体１００が設置固定されている。そして、支圧板３２を備えた中間部アンカー３０が網体１００の所定箇所、すなわち、落石発生源Ｘ３を的確に押さえ込むことのできる箇所に設置されていることで、この領域での落石の発生が確実に防止されている。
【００４３】
すなわち、落石発生源Ｘ３は、網体１００によって主導的に下方に押さえつけられて状態が保たれているので、落石の発生の未然防止が達成されている。また、仮に、この落石発生源Ｘ３の部分で岩等の落下が生起した場合でも四方のロープで囲まれた範囲内でそれを制止することができる。これは、岩などの大きな動きが始まる前の状況で制止することができるので、小さいエネルギー状態での確実な落石の制止が可能となり、大きな災害の発生源を解消することができるものである。
【００４４】
なお、本発明は上記各実施の形態の構成に限定されるものではなく、発明の要旨の範囲内で種々の変形が可能である。例えば、網体１００の設置数は、斜面２００の規模によって適宜設定される。また、アンカー１０と各ロープとの結合箇所の数も設置領域の状態や規模によって種々選択され得るものである。また、横ロープについては、上記の実施の形態では、上下位置に１本ずつ設置する例を示したが、斜面２００の保護対象領域が縦方向に長い場合には、網体１００の長さも長いものが用いられ、それに応じて横ロープの設置本数も増加されるのが好適である。なお、上述のように、網体展延工程と三方ロープ設置工程とは、何れを先に行っても良い。
【図面の簡単な説明】
【００４５】
【図１】本発明の実施の形態に係る覆網式斜面保護工法の初期工程を示す説明図である。
【図２】（Ａ）及び（Ｂ）は、実施の形態に用いられるアンカーの構成例を示す説明図であり、（Ａ）は変形前状態、（Ｂ）は変形した状態がそれぞれ示されている。
【図３】（Ａ）及び（Ｂ）は、実施の形態に用いられるアンカーの他の構成例を示す説明図であり、（Ａ）は変形前状態、（Ｂ）は変形した状態がそれぞれ示されている。
【図４】本発明の実施の形態に係る覆網式斜面保護工法の網体の展延に関する工程を示す説明図である。
【図５】本発明の実施の形態に係る覆網式斜面保護工法の途中工程を示す説明図である。
【図６】本発明の実施の形態に係る覆網式斜面保護工法の最終工程を示す説明図である。
【図７】本発明の実施の形態に係る覆網式斜面保護工法の施工された斜面における本実施の形態の作用説明図である。
【符号の説明】
【００４６】
１０  ワイヤロープアンカー
１１  補助アンカー
１２  通常の鋼材アンカー
１４  上側横ロープ
１８  下側横ロープ
２０、２２  縦ロープ
３０  中間部アンカー
３２  支圧板
１００  網体
２００  斜面
Ｘ  落石発生源
Ｙ  中間領域
【図１】
0005086871.tif 000002
【図２】
0005086871.tif 000003
【図３】
0005086871.tif 000004
【図４】
0005086871.tif 000005
【図５】
0005086871.tif 000006
【図６】
0005086871.tif 000007
【図７】
0005086871.tif 000008